(57)【特許請求の範囲】
【請求項１】
発泡性アルコール飲料のｐＨ値を測定する測定装置であって、
発泡性アルコール飲料をサンプリングするサンプラーと、
前記サンプラーによってサンプリングされた発泡性アルコール飲料から炭酸ガスを除去する炭酸ガス除去ユニットと、
前記炭酸ガス除去ユニットによって炭酸ガスが除去された発泡性アルコール飲料のｐＨ値を測定するｐＨ計と、
前記サンプラーに供給され前記サンプラーから排出された洗浄液が前記炭酸ガス除去ユニットに供給され、前記炭酸ガス除去ユニットから排出された前記洗浄液が前記ｐＨ計に供給されるよう前記サンプラーに前記洗浄液を供給し、これによって前記サンプラー、前記炭酸ガス除去ユニットおよび前記ｐＨ計を洗浄する洗浄ユニットと、を備え、
前記炭酸ガス除去ユニットは、減圧容器と、発泡性アルコール飲料を通過させるように前記減圧容器の中に配置されたチューブと、前記減圧容器の内部空間を減圧するポンプとを含み、前記チューブを構成する膜は、炭酸ガスを透過させるが液体を透過させないように構成され、前記炭酸ガス除去ユニットは、前記チューブを流れる発泡性アルコール飲料から前記膜を通して前記内部空間に炭酸ガスを吸い出すことにより該炭酸ガスを除去するように構成され、
前記洗浄ユニットは、前記炭酸ガス除去ユニットの前記ポンプが動作した状態で前記炭酸ガス除去ユニットに前記洗浄液が供給されるように、前記サンプラーに前記洗浄液を供給する、
ことを特徴とする測定装置。
【請求項２】
前記炭酸ガス除去ユニットは、前記チューブを流れる発泡性アルコール飲料の流量を制御する流量制御器を更に含む、
ことを特徴とする請求項１に記載の測定装置。
【請求項３】
前記サンプラーは、前記内部空間が目標レベルまで減圧された後に前記炭酸ガス除去ユニットに対して発泡性アルコール飲料を供給する、
ことを特徴とする請求項１又は２に記載の測定装置。
【請求項４】
前記ポンプは、前記サンプラーの起動に従って起動される、
ことを特徴とする請求項１乃至３のいずれか１項に記載の測定装置。
【発明の詳細な説明】
【技術分野】
【０００１】
本発明は、発泡性アルコール飲料のｐＨ値を測定する測定装置に関する。
【背景技術】
【０００２】
ビールなどの発泡性アルコール飲料の品質管理のために、そのｐＨ値が測定されうる。しかしながら、発泡性アルコール飲料は、炭酸ガスを含有するので、そのままでｐＨ値を測定すると、含有炭酸ガス量に応じてｐＨ値が変動してしまうので、これを品質管理の指標として使うことは好ましくない。
【先行技術文献】
【特許文献】
【０００３】
【特許文献１】特開２００３−１６０１９５号公報
【発明の概要】
【発明が解決しようとする課題】
【０００４】
そこで、発泡性アルコール飲料から炭酸ガスを除去した後にｐＨ値を測定することが考えられるが、発泡性アルコール飲料が入った容器を振るなどしてそれを行うことは、煩わしい上に作業が非効率的である。
【０００５】
本発明は、上記の事情に基づいてなされたものであり、発泡性アルコール飲料のｐＨ値を同一条件で効率的に測定するために有利な技術を提供することを目的とする。
【課題を解決するための手段】
【０００６】
本発明は、発泡性アルコール飲料のｐＨ値を測定する測定装置に係り、前記測定装置は、発泡性アルコール飲料をサンプリングするサンプラーと、前記サンプラーによってサンプリングされた発泡性アルコール飲料から炭酸ガスを除去する炭酸ガス除去ユニットと、前記炭酸ガス除去ユニットによって炭酸ガスが除去された発泡性アルコール飲料のｐＨ値を測定するｐＨ計と、前記サンプラーに供給され前記サンプラーから排出された洗浄液が前記炭酸ガス除去ユニットに供給され、前記炭酸ガス除去ユニットから排出された前記洗浄液が前記ｐＨ計に供給されるよう前記サンプラーに前記洗浄液を供給し、これによって前記サンプラー、前記炭酸ガス除去ユニットおよび前記ｐＨ計を洗浄する洗浄ユニットと、を備え、前記炭酸ガス除去ユニットは、減圧容器と、発泡性アルコール飲料を通過させるように前記減圧容器の中に配置されたチューブと、前記減圧容器の内部空間を減圧するポンプとを含み、前記チューブを構成する膜は、炭酸ガスを透過させるが液体を透過させないように構成され、前記炭酸ガス除去ユニットは、前記チューブを流れる発泡性アルコール飲料から前記膜を通して前記内部空間に炭酸ガスを吸い出すことにより該炭酸ガスを除去するように構成され、前記洗浄ユニットは、前記炭酸ガス除去ユニットの前記ポンプが動作した状態で前記炭酸ガス除去ユニットに前記洗浄液が供給されるように、前記サンプラーに前記洗浄液を供給する。
【発明の効果】
【０００７】
本発明によれば、発泡性アルコール飲料のｐＨ値を同一条件で効率的に測定するために有利な技術が提供される。
【図面の簡単な説明】
【０００８】
【図１】本発明の好適な実施形態の測定装置の構成を示す図。
【図２】図１に示す測定装置における炭酸ガス除去ユニットの構成例を示す図。
【発明を実施するための形態】
【０００９】
以下、添付図面を参照しながら本発明の好適な実施形態の測定装置について説明する。図１は、本発明の好適な実施形態の測定装置１００の構成を示す図であり、図２は、図１に示す測定装置１００における炭酸ガス除去ユニット２０の構成例を示す図である。
【００１０】
測定装置１００は、ビール、発泡酒、発泡性ワインなどの発泡性アルコール飲料のｐＨ値を測定することができるように構成されている。図１に例示されるように、測定装置１００は、サンプラー１０と、炭酸ガス除去ユニット２０と、ｐＨ計３０とを備えうる。サンプラー１０は、発泡性アルコール飲料をサンプリング（抽出）し、炭酸ガス除去ユニット２０に供給する。サンプラー１０は、発泡性アルコール飲料を炭酸ガス除去ユニット２０に供給するための供給ユニット、例えば、ポンプ、圧力源、又は、圧力源から圧力を受けるための圧力ラインを有しうる。炭酸ガス除去ユニット２０は、サンプラー１０によってサンプリングされた発泡性アルコール飲料から炭酸ガスを除去する。ｐＨ計３０は、炭酸ガス除去ユニット２０によって炭酸ガスが除去された発泡性アルコール飲料のｐＨ値を測定する。炭酸ガスが除去された発泡性アルコール飲料のｐＨ値をｐＨ計３０によって測定することによって、同一条件（即ち、炭酸ガスが除去された条件）で効率的に発泡性アルコール飲料のｐＨ値を測定することができる。
【００１１】
図２に例示されるように、炭酸ガス除去ユニット２０は、減圧容器２２と、発泡性アルコール飲料を通過させるように減圧容器２２の中に配置された１又は複数のチューブ２４と、減圧容器２２の内部空間を減圧するポンプ２６とを含みうる。ここで、チューブ２４を構成する膜は、炭酸ガスを透過させるが液体を透過させないように構成されうる。チューブ２４は、例えば中空糸膜でありうる。典型的には、炭酸ガスの除去効率を高めるために、複数のチューブ２４が束ねて配置されうる。図２に示す例では、炭酸ガス除去ユニット２０は、チューブ２４を流れる発泡性アルコール飲料からチューブ２４を構成する膜を通して減圧容器２２の内部空間に炭酸ガスを吸い出すことにより該炭酸ガスを除去する。
【００１２】
炭酸ガス除去ユニット２０は、チューブ２４を流れる発泡性アルコール飲料の流量を制御する流量制御器２７を含むことが好ましい。チューブ２４を流れる発泡性アルコール飲料の流量を制御することにより、過剰な発泡性アルコール飲料が流れることに起因して炭酸ガスの除去不良が発生することを防止することができる。
【００１３】
サンプラー１０は、炭酸ガス除去ユニット２０の減圧容器２２の内部空間が目標レベルまで減圧された後に炭酸ガス除去ユニット２０に対して発泡性アルコール飲料を供給するように構成されることが好ましい。例えば、減圧容器２２の内部空間の圧力を検知するための圧力計２８が炭酸ガス除去ユニット２０に組み込まれうる。サンプラー１０は、圧力計２８から提供される圧力が目標レベルを下回った後に炭酸ガス除去ユニット２０に対して発泡性アルコール飲料を供給するように構成されうる。このような構成は、炭酸ガスの除去不良が発生することを防止するために効果的である。炭酸ガス除去ユニット２０のポンプ２６は、サンプラー１０の起動に従って起動されることが好ましい。
【００１４】
測定装置１００は、発泡性アルコール飲料のｐＨ値の測定の終了後にサンプラー１０、炭酸ガス除去ユニット２０およびｐＨ計３０を洗浄する洗浄ユニット４０を備えることが好ましい。洗浄ユニット４０は、例えば、サンプラー１０のサンプリング部（発泡性アルコール飲料をサンプリングする部分）に洗浄液（例えば純水）を供給するように構成されうる。サンプラー１０のサンプリング部に供給された洗浄液は、サンプラー１０から炭酸ガス除去ユニット２０、更にはｐＨ計３０に供給され、ｐＨ計３０から排出され、これによってサンプラー１０、炭酸ガス除去ユニット２０およびｐＨ計３０が洗浄されうる。
【００１５】
洗浄ユニット４０は、例えば、炭酸ガス除去ユニット２０のポンプ２６が動作した状態で、発泡性アルコール飲料に代えて洗浄液が炭酸ガス除去ユニット２０に供給されるようにサンプラー１０に洗浄水を供給することが好ましい。これにより、チューブ２４を効果的に洗浄することができる。なお、洗浄ユニット４０は、炭酸ガス除去ユニット２０に対して直接に洗浄液を供給するように構成されてもよい。
【図１】
0005844635.tif 000002
【図２】
0005844635.tif 000003